(57)【要約】【課題】大きな開口サイズを有しながら抽出時のセッティングを安定かつ容易に行うことのできるドリッパーを提供する。【解決手段】ドリッパー１は、袋状のフィルター２と、そのフィルター２が内部に位置する状態で折り畳み可能に形成された筒状の支持体３と、を有する。筒状の支持体３は、一方の開口７ａを構成する第１開口部７と、他方の開口８ａを構成する第２開口部８と、を有している。支持体３を折り畳み状態から筒状の開状態にするとフィルター２が開口するように、第１開口部７にフィルター開口部９が取り付けられている。第１開口部７は、第２開口部８よりも大きい開口７ａを有している。【選択図】図１
2020103712.tif 000002
【特許請求の範囲】
【請求項１】
袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第１開口部が前記第２開口部よりも大きい開口を有することを特徴とするドリッパー。
【請求項２】
前記筒状の支持体がテーパー形状を有することを特徴とする請求項１記載のドリッパー。
【請求項３】
前記第２開口部に複数の突出部と複数の脚部が形成されており、
前記支持体の折り畳み状態における両側の折り曲げ位置に前記突出部が位置し、
前記両側の折り曲げ位置の間に、前記支持体の移動を制限するために屈曲した形状を有する前記脚部が位置し、
前記突出部又は前記脚部の位置が制限されることにより、前記支持体の形状が筒状の開状態に固定されることを特徴とする請求項１又は２記載のドリッパー。
【請求項４】
前記支持体が筒状の開状態にあるとき、前記第２開口部よりも外側に前記脚部が位置することを特徴とする請求項３記載のドリッパー。
【請求項５】
前記支持体が折り曲げられた１枚のブランク板により形成されていることを特徴とする請求項１〜４のいずれか１項に記載のドリッパー。
【請求項６】
前記フィルター内に被抽出成分を有する内容物が封入されていることを特徴とする請求項１〜５のいずれか１項に記載のドリッパー。
【発明の詳細な説明】
【技術分野】
【０００１】
本発明はドリッパーに関するものであり、例えば、被抽出成分を有する内容物（例えば、レギュラーコーヒー粉，紅茶の葉，緑茶の葉等）を濾すときに使用するドリッパー、及び被抽出成分を有する内容物が予め収納されたドリッパーに関するものである。
【背景技術】
【０００２】
レギュラーコーヒー粉を収納する袋状のフィルターと、そのフィルターをカップ上に位置させる筒状の支持体（スリーブ状の台紙）と、からなる使い捨てタイプのコーヒードリッパーが、従来より知られている。支持体は厚紙からなっていることが多く、使用前の支持体は内側にフィルターが取り付けられた状態で折り畳まれている。コーヒーを淹れる際には、支持体を折り畳まれた状態から筒状の開状態にした後、カップ上にドリッパーを載置して、フィルター内にレギュラーコーヒー粉を投入する。フィルター内にレギュラーコーヒー粉が予め封入されているタイプでは、フィルターを開封し、支持体を折り畳まれた状態から筒状の開状態にした後、カップ上にドリッパーを載置する。いずれの場合も、フィルター内に熱湯を注ぐと、抽出されたコーヒーがフィルターを通過してカップ内に溜まることになる。
【０００３】
上記のようなコーヒードリッパーは、廃棄の容易な使い捨てタイプでありながら、ドリップコーヒーを簡易に淹れることができて便利である。しかし、コーヒーカップのサイズによっては、コーヒー抽出時のドリッパーの安定性が問題になる。従来より様々なタイプのドリッパーが提案されているが、例えば、特許文献１〜３に記載のドリッパーには、支持体の下部に突出部を設けて、コーヒー抽出時のドリッパーを安定させる工夫が施されている。
【先行技術文献】
【特許文献】
【０００４】
【特許文献１】特開２００４−７１１号公報
【特許文献２】特開２０１０−９９４６２号公報
【特許文献３】特開２００４−１９５１９８号公報
【発明の概要】
【発明が解決しようとする課題】
【０００５】
特許文献１〜３に記載のドリッパーで、より確実な安定性を得ようとすると、ドリッパーとカップとの開口サイズのバランスをとることが難しくなる。つまり、特許文献１〜３に記載のドリッパーには、フィルターの開口部が小さすぎてお湯を注ぎにくいという問題がある。例えば、注ぎ口が大きいヤカンや湯沸しケトル等を使用してお湯を注ぐと、ドリッパーの外にお湯がこぼれやすい、という問題がある。支持体を大型化して、通常タイプのコーヒードリッパーと同程度の大きさにまでフィルターの開口部を大きくすると、お湯はこぼれにくくなる。しかし、フィルターの開口部を大きくすると支持体の下部も大きくなるため、突出部がカップ内に入らず、標準的なコーヒーカップにドリッパーをセットすることが困難になる。
【０００６】
本発明はこのような状況に鑑みてなされたものであって、その目的は、大きな開口サイズを有しながら抽出時のセッティングを安定かつ容易に行うことのできるドリッパーを提供することにある。
【課題を解決するための手段】
【０００７】
上記目的を達成するために、第１の発明のドリッパーは、袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第１開口部が前記第２開口部よりも大きい開口を有することを特徴とする。
【０００８】
第２の発明のドリッパーは、上記第１の発明において、前記筒状の支持体がテーパー形状を有することを特徴とする。
【０００９】
第３の発明のドリッパーは、上記第１又は第２の発明において、前記第２開口部に複数の突出部と複数の脚部が形成されており、
前記支持体の折り畳み状態における両側の折り曲げ位置に前記突出部が位置し、
前記両側の折り曲げ位置の間に、前記支持体の移動を制限するために屈曲した形状を有する前記脚部が位置し、
前記突出部又は前記脚部の位置が制限されることにより、前記支持体の形状が筒状の開状態に固定されることを特徴とする。
【００１０】
第４の発明のドリッパーは、上記第３の発明において、前記支持体が筒状の開状態にあるとき、前記第２開口部よりも外側に前記脚部が位置することを特徴とする。
【００１１】
第５の発明のドリッパーは、上記第１〜第４のいずれか１つの発明において、前記支持体が折り曲げられた１枚のブランク板により形成されていることを特徴とする。
【００１２】
第６の発明のドリッパーは、上記第１〜第５のいずれか１つの発明において、前記フィルター内に被抽出成分を有する内容物が封入されていることを特徴とする。
【発明の効果】
【００１３】
本発明によれば、支持体の第１開口部が第２開口部よりも大きい開口を有する構成になっているため、第１開口部に取り付けられているフィルターの開口に対してお湯を容易に注ぐことができる。フィルターに注がれたお湯は支持体の第２開口部から流れ落ちることになるが、第２開口部は第１開口部よりも開口が小さいため、ドリッパーとカップとの開口サイズのバランスが良くなって高い安定性が保たれる。例えば第２開口部に形成されている突出部を容易にカップ内に入れることができ、それによって抽出時のドリッパーが安定化される。したがって、大きな開口サイズを有しながら抽出時のセッティングを安定かつ容易に行うことのできるドリッパーを実現することができる。
【図面の簡単な説明】
【００１４】
【図１】ドリッパーの一実施の形態を折り畳み状態で示す正面図。
【図２】図１のドリッパーを筒状の開状態で示す正面図。
【図３】図１のドリッパーを筒状の開状態で示す側面図。
【図４】図１のドリッパーを筒状の開状態で示す上面図。
【図５】図１のドリッパーを構成している支持体のブランク板を示す平面図。
【発明を実施するための形態】
【００１５】
以下、本発明の実施の形態に係るドリッパー等を、図面を参照しつつ説明する。図１にドリッパー１の外観を折り畳み状態で示し、図２〜図４にドリッパー１の外観を筒状の開状態で示す。図１及び図２はドリッパー１の正面図であり、図３はドリッパー１の側面図であり、図４はドリッパー１の上面図である。
【００１６】
ドリッパー１は、袋状のフィルター２と、テーパーのついた筒状の支持体（スリーブ状の台紙）３と、を有する構成になっており、支持体３はフィルター２が内部に位置する状態で折り畳み可能に形成されている。このドリッパー１は、支持体３が折り畳み可能であることから携帯に適しており、廃棄の容易な材料で構成可能な簡易構造を有することから使い捨てに適している。つまり、携帯可能な使い捨てタイプでありながら、例えばドリップコーヒーを簡易に淹れることができるという長所を有している。しかも、支持体３がテーパー形状を有しているため、その外観のデザインは使い捨てタイプには見えない本格的なドリッパーを彷彿とさせ、一目でドリッパーであることを理解可能とする。
【００１７】
被抽出成分を有する内容物１８（図４；例えば、レギュラーコーヒー粉，紅茶の葉，緑茶の葉等）は、使用時にフィルター２内に収納されるか、あるいはフィルター２内に予め封入される。フィルター２の材料としては、袋状にする際の加工性を考慮して、熱接着性を素材に有するシート材料、片面（袋状にしたときの最内層）に熱接着性を有するシート材料等を用いることが好ましい。例えば、ポリオレフィン系（ポリエチレン，ポリプロピレン等），ポリエステル系等の材料からなる透水性不織布、ポリオレフィン系（ポリエチレン，ポリプロピレン等），ポリエステル系等の熱可塑性樹脂を片面（袋状にしたときの最内層）に含有する多層構造の濾紙等が挙げられる。袋状の加工は、上記シート材料を２つ折り又はガセット折りすることにより重ね合わせ、所定形状に熱接着し、裁断・型抜きすることにより行われる。
【００１８】
フィルター２を所定の形状に保ちながら、カップ１７（図２〜図４）上にセットすることを可能としているのが、テーパーのついた筒状の支持体３である。この支持体３は、図２〜図４に示すように、一方の開口７ａを構成する第１開口部７と、他方の開口８ａを構成する第２開口部８と、を有しており、支持体３を折り畳み状態（図１）から筒状の開状態（図２〜図４）にするとフィルター２が開口するように、第１開口部７にフィルター開口部９（図４）が取り付けられている。このフィルター２の取り付けは、支持体３内にフィルター２を挿入し、支持体３の第１開口部７の縁で外側へ折り返し、その折り返し部分を支持体３の外面に貼り着けることにより行われる。このようにフィルター２を取り付けると、使用時に支持体３を筒状の開状態（図２〜図４）にした際、フィルター２が大きく開口して注湯やドリップに適した状態となる。
【００１９】
支持体３は、図５に示す１枚のブランク板３Ａの折り曲げ等により形成されている。図５は支持体３の展開図であり、ブランク板３Ａは、板状のシート材料を展開図（図５）のように打ち抜くことにより形成される。ブランク板３Ａの材質は特に限定されるものではないが、例えば、耐水カード紙，アイボリー紙等の厚紙や両面（特に支持体３の内側面）に樹脂（ポリエチレン等）が塗布された厚紙を、シート材料として用いることができる。なお、樹脂が塗布された厚紙でブランク板３Ａを構成すると、支持体３に熱湯や湯気がかかっても、その剛性の低下を防止することができる。
【００２０】
ブランク板３Ａ（図５）は、折り曲げ線Ｌ１を境界とする３つの部分、つまり前面板４と背面板５と糊代片６とで構成されている。前面板４と背面板５には、への字形状に屈曲した切り込み１４と、Ｖ字形状の切欠き１５と、扇形状の孔１６と、折り曲げ線Ｌ２，Ｌ３と、凹部Ｎと、が左右対称にそれぞれ設けられている。切欠き１５は、支持体３の第１開口部７（図１等）に相当する部分に位置しており、切り込み１４は、支持体３の第２開口部８（図１等）に相当する部分に位置しており、孔１６はその中間に位置している。折り曲げ線Ｌ１〜Ｌ３の具体例としては、押し罫，切り罫，ミシン罫，リード罫等の罫線が挙げられる。なお、支持体３内にフィルター２を取り付ける際、孔１６を通してフィルター２を押さえることにより、支持体３に対するフィルター２の相対的な位置ズレを効果的に抑えることができる。
【００２１】
支持体３の第２開口部８（図１等）に相当する部分には、図５に示すように、突出部１１と脚部１３が複数形成されている。つまり、各折り曲げ線Ｌ１の位置とその貼り合わせ位置に突出部１１が形成されており、２本の折り曲げ線Ｌ１の位置の中間に脚部１３が形成されている。同一の切り込み１４で２つの脚部１３が形成されており、各脚部１３の突出部１１側には凹部Ｎが形成されている。この凹部Ｎと切り込み１４との組み合わせによって、ブランク板３Ａを形成する際のシート材料の無駄を抑えながら、脚部１３が支持体３の第２開口部８側に屈曲した形状に形成されている。
【００２２】
支持体３を組み立てる際には、まず、前面板４と背面板５との境界の折り曲げ線Ｌ１に沿ってブランク板３Ａを折り曲げて、前面板４と背面板５とが重なった状態にする。次に、前面板４と糊代片６との境界の折り曲げ線Ｌ１に沿ってブランク板３Ａを折り曲げて、糊代片６が背面板５に重なった状態とする。その状態で背面板５に糊代片６を接着すると、ブランク板３Ａは筒状となって折り畳み状態の支持体３が得られる。さらに、支持体３内にフィルター２を取り付けると、前述したように折り畳み状態のドリッパー１（図１）が得られる。
【００２３】
各折り曲げ線Ｌ１に沿ったブランク板３Ａの折り曲げによって、各折り曲げ線Ｌ１の位置に折り目Ｍ１（図１）が形成される。折り畳み状態の支持体３（図１）に対して、左右の折り目Ｍ１を互いに近づく方向に押圧すると、切欠き１５の下端と孔１６の上端及び下端に力が集中する。このため、折り曲げ線Ｌ２，Ｌ３に沿ってブランク板３Ａを簡単に折り曲げることができる。
【００２４】
上記折り曲げにより、各折り曲げ線Ｌ２，Ｌ３の位置に折り目Ｍ２，Ｍ３（図２，図３）が形成されて、図４に示すように、支持体３の第１開口部７及び第２開口部８で六角形の開口７ａ，８ａが形成される。そして、支持体３が筒状の開状態（図２〜図４）になるとともに、フィルター開口部９においても六角形の開口９ａが形成される。なお、ドリッパー１を大容量化するために、図４中の折り目Ｍｆで示すように、フィルター２の底部はガセット折りされている。
【００２５】
上述のようにして組み立てられた支持体３の第２開口部８には、図１〜図４に示すように、開口８ａを介して対向する１対の突出部１１と、開口８ａを介して対向する２対の脚部１３と、が形成されている。折り曲げ線Ｌ２，Ｌ３に沿ったブランク板３Ａの折り曲げにより、支持体３が筒状の開状態になると、突出部１１と脚部１３は、図２〜図４に示すように第２開口部８の所定位置に配置される。つまり、支持体３の折り畳み状態（図１）における両側の折り曲げ位置（折り目Ｍ１の形成位置）には突出部１１が設けられ、２つの突出部１１の間には脚部１３が設けられる。突出部１１と脚部１３が支持体３の第２開口部８にバランス良く配置されるため、ドリッパー１は重心が全体的に低くなって安定化される。なお、脚部１３が不用意に開いてしまうことを防止するため、切り込み１４には部分的に繋ぎ部（刃止め部）を設けておくことが好ましい。
【００２６】
ドリッパー１の使用時、例えばコーヒーを淹れる際には、支持体３を折り畳み状態（図１）から筒状の開状態（図２〜図４）にしてフィルター２を開口させた後、カップ１７上にドリッパー１を載置し、内容物１８（図４）としてレギュラーコーヒー粉をフィルター２内に投入する。フィルター２内にレギュラーコーヒー粉が予め封入されているタイプでは、フィルター２を開封し、支持体３を折り畳まれた状態から筒状の開状態にした後、カップ１７上にドリッパーを載置する。いずれの場合も、フィルター２内に熱湯を注ぐと、抽出されたコーヒーがフィルターを通過してカップ内に溜まることになる。
【００２７】
上記のようにして、開口９ａからフィルター２内に所定量の熱湯を注ぐことにより、フィルター２内の内容物１８から所望の成分が抽出された飲料（コーヒー，紅茶，緑茶等）をカップ１７内に得ることができる。しかも、支持体３がテーパー形状を有することによってフィルター２の開口９ａが大きく開くため、熱湯をこぼすことなく容易に注ぐことができる。なお、孔１６からカップ１７内の様子が見えるので、熱湯を注ぎながらカップ１７内のコーヒー量を容易に確認することができる。
【００２８】
上記のように支持体３が筒状の開状態にあるドリッパー１をカップ１７上に載置すると、図２〜図４に示すように、突出部１１はカップ１７の縁の内側に位置することになり、脚部１３は第２開口部１２よりも外側に位置することになり、脚部１３の先端部分はカップ１７の縁の外側に位置することになる。折り畳み状態（図１）に戻ろうとする支持体３の復元力によって、カップ１７の内側に位置する突出部１１と、カップ１７の外側に位置する脚部１と、でカップ１７の縁が内外から強く押さえ込まれるため、大容量のドリッパー１でも安定した状態に保持される。
【００２９】
突出部１１又は脚部１３の位置がカップ１７の縁で制限されることにより、支持体３の形状が筒状の開状態に固定され、脚部１３の屈曲した形状（例えば、屈曲位置での係止）により支持体３の移動がカップ１７の縁で制限されるので、カップ１７の存在無しにドリッパー１の形状や位置が固定されることはない。つまり、カップ１７の縁が第２開口部８から脚部１３の屈曲位置までの範囲内にあれば、ドリッパー１の形状を開状態に保ちながら、ドリッパー１をカップ１７上にセットすることができる。したがって、カップ１７の多様性（様々なカップサイズやカップ形状等）に幅広く対応することが可能である。
【００３０】
前述したように、この実施の形態によれば、筒状の支持体３がテーパー形状を有しており、その第１開口部７が第２開口部８よりも大きい開口７ａを有する構成になっているため、第１開口部７に取り付けられているフィルター２の開口９ａに対してお湯を容易に注ぐことができる。フィルター２に注がれたお湯は支持体３の第２開口部８から流れ落ちることになるが、第２開口部８の開口８ａは第１開口部７の開口７ａよりも小さいため、カップ１７に対して支持体３が容易にフィットし、ドリッパー１とカップ１７との開口サイズのバランスが良くなって高い安定性が保たれる。例えば第２開口部８に形成されている突出部１１を容易にカップ１７内に入れることができ、それによって抽出時のドリッパー１が安定化される。したがって、大きな開口サイズを有しながら抽出時のセッティングを安定かつ容易に行うことのできるドリッパー１を実現することができる。
【００３１】
また、支持体３の第２開口部８に、突出部１１とその間に位置する脚部１３とが形成されているため、突出部１１と脚部１３でドリッパー１の重心が全体的に低くなって安定性が向上する。さらに、突出部１１と脚部１３とでカップ１７の縁が内外から押さえ込まれることにより、カップ１７に対するドリッパー１の装着状態が安定化される。したがって、大容量でも抽出時に高い安定性を得ることができる。しかも、脚部１３は支持体３の移動を制限するために屈曲した形状を有しているため、カップ１７の縁を外側から押さえ込みながらカップ１７に対しては固定されない状態となる。これにより、カップ１７の縁に対する脚部１３の配置の自由度が高くなるため、様々な口径サイズのカップに対応することが可能となる。
【符号の説明】
【００３２】
１    ドリッパー
２    フィルター
３    支持体
３Ａ    ブランク板
４    前面板
５    背面板
６    糊代片
７    第１開口部
８    第２開口部
９    フィルター開口部
７ａ，８ａ，９ａ  開口
１１    突出部
１３    脚部
１４    切り込み
１５    切欠き
１６    孔
１７    カップ
１８    内容物
Ｌ１，Ｌ２，Ｌ３    折り曲げ線
Ｍ１，Ｍ２，Ｍ３，Ｍｆ    折り目
Ｎ    凹部
【図１】
2020103712.tif 000003
【図２】
2020103712.tif 000004
【図３】
2020103712.tif 000005
【図４】
2020103712.tif 000006
【図５】
2020103712.tif 000007